(57)【要約】【課題】低コストで容易に施工可能な汎用性の高い扉の気密・水密構造を提供する。【解決手段】扉１０の下面が床面３に近接した扉下方の気密・水密構造に関する。閉状態の扉１０の下面１０ｄに沿って長く形成された帯状の回転部２１を扉の下方の床３に回転自在に設け、前記回転部２１の一端に設けられた入力部６に入力突部７を上方に向って突設する。扉１０の下面１０ｄにおける前記突部７に対応する位置には傾斜面３２が設けられ、傾斜面３２が突部７を下方に押し下げることで、入力部６と一体に回転部２１が水平軸線Ｈを中心に回転して第１側縁部４１が前記扉１０の下面１０ｄに当接することを特徴とする。【選択図】        図４
2005023628.tif 000002
【特許請求の範囲】
【請求項１】
扉の下面が床面に近接した扉下方の気密・水密構造であって、
閉状態の扉の下面に沿って長く形成された帯状の回転部を扉の下方の床に回転自在に設け、
前記回転部は操作力を受けることで、前記回転部の長手方向に沿った水平軸線を中心に回転して前記回転部の第１側縁部が前記扉の下面に近接ないし当接する扉の気密・水密構造において、
前記回転部の一端に前記回転部と一体に回転する入力部が設けられ、
前記入力部における前記第１側縁部とは反対側の部位に入力突部が上方に向って突設され、
前記扉の下面の前記入力部に対応する位置には、傾斜面が設けられ、
前記傾斜面が前記突部側から前記扉の開方向に向かうに従って下方に傾いていることで、前記扉を閉じていくに従い前記傾斜面が前記突部に乗り上げることにより、前記突部が下方に押し下って、前記回転部が前記入力部と共に前記水平軸線のまわりに回転して、前記第１側縁部が前記扉の下面に近接ないし当接する扉の気密・水密構造。
【請求項２】
床に固定され、閉状態の扉の下面に沿って長く形成された溝状の固定枠と、
前記固定枠に沿って長く形成され、前記固定枠の長手方向に沿う水平軸線を中心として回転可能に支持された回転部と、
扉を開いた時には、前記回転部が前記固定枠の溝を覆うと共に床面と概ね面一となる水平姿勢となることが可能で、
一方、扉を閉じた時には、前記回転部が操作力を受けることで前記水平軸線を中心に回転して、前記回転部の第１側縁部が前記扉の下面に近接ないし当接する傾斜姿勢となることで、前記扉の下方の気密および水密を図る扉の気密・水密構造において、
前記回転部の一端に前記回転部と一体に回転する入力部が設けられ、
前記入力部における前記第１側縁部とは反対側の部位に入力突部が上方に向って突設され、
前記扉の下面の前記入力部に対応する位置には、傾斜面が設けられ、
前記傾斜面が前記突部側から前記扉の開方向に向かうに従って下方に傾いていることで、前記扉を閉じていくに従い前記傾斜面が前記突部に乗り上げることにより、前記突部が下方に押し下って、前記回転部が前記入力部と共に前記水平軸線のまわりに回転して、前記第１側縁部が前記扉の下面に近接ないし当接し、
一方、前記扉を開くと、前記傾斜面が前記突部から離れて、前記回転部が復帰手段により前記水平姿勢に復帰する扉の気密・水密構造。
【請求項３】
請求項１もしくは２において、
前記扉は鉛直線のまわりに回転する回転式の扉であり、
前記扉の回転中心の下端近傍の部位に前記傾斜面および前記突部が設けられ、
前記突部に接する傾斜面の部位が、前記扉が回転して閉じるに従い下方となるように、前記傾斜面が設定されている扉の気密・水密構造。
【請求項４】
請求項１もしくは２において、
前記扉は前記帯状の回転部の長手方向に沿ってスライド移動可能な引き戸であり、
前記扉を開いていく際に、最初に開く側の端部に前記傾斜面および前記突部が設けられ、
前記突部に接する傾斜面の部位が、前記扉がスライドして閉じるに従い下方となるように、前記傾斜面が設定されている扉の気密・水密構造。
【請求項５】
請求項１もしくは２において、
前記扉は、前記帯状の回転部の長手方向に沿って折り畳み可能な折れ戸、あるいは、水平線のまわりに回転する上開き式の扉である扉の気密・水密構造。
【請求項６】
請求項１ないし４のいずれか１項において、
前記突部は球面状の表面を持つ扉の気密・水密構造。
【請求項７】
請求項１ないし５のいずれか１項において、
前記傾斜面を持つピースが前記扉の下部に固定されている扉の気密・水密構造。
【発明の詳細な説明】
【０００１】
【発明の属する技術分野】
本発明は扉の気密・水密構造に関する。
【０００２】
【従来技術】
従来、建築物において、年配者や障害者などに配慮して実質的に段差をなくした、いわゆるバリアフリー建築における扉の気密・水密構造として下記の文献が知られている。
【０００３】
【特許文献１】
特開平２００３−１３６７２号公報  （第２−５頁、図１−図４）
【０００４】
前記特許文献１の発明を図面にしたがって説明する。
扉：
図９に示すように、扉１０は、左右の扉枠１２，１２の一方に蝶番１１を介して矢印方向に開閉自在に取り付けられている。前記扉１０は、たとえば、建物内部の廊下や部屋など水や砂の侵入を防止したい場所（以下、「内部」という）Ｉと、建物外部や浴室などの場所（以下、「外部」という）Ｏとの間に設けられており、その下面１０ｄが床面３に近接するように設定されている。
【０００５】
止水構造：
図１０に示すように、二点鎖線で示す閉状態の扉１０の下方には、該扉１０の下方に沿って長く形成された止水装置２が設けられている。前記止水装置２は、固定枠２０、回転フレーム２１および塞ぎ部材２５を備えている。前記固定枠２０、回転フレーム２１および塞ぎ部材２５は、アルミの押し出し成形によって作成されている。
前記固定枠２０は、床３に設けられた凹部３１内に固定されており、前記閉状態の扉１０の長手方向に沿って長い溝状に形成されている。
前記回転フレーム２１は、前記固定枠２０に沿って該固定枠２０の一端から他端まで長く形成されている。
【０００６】
図１１は止水装置２の横断面図を示す。
図１１（ａ）に示すように、回転フレーム２１の下部には回転軸部２１ａが一体形成されている。前記回転軸部２１ａは半円形断面の軸受部２０ａに回転自在に嵌まり込んで、ヒンジ５０を構成している。これにより、回転フレーム２１は前記ヒンジ５０を介して前記固定枠２０の長手方向に沿う水平軸線Ｈ（図１０）を中心として、固定枠２０に対して回転可能に支持されている。
【０００７】
前記回転フレーム２１の上部表面には、エラストマー（ゴムや軟質の樹脂）からなるシール部２２が設けられている。該シール部２２は固定枠２０の上方の開口の概ね半分を塞ぐ。回転フレーム２１は前記閉状態の扉１０の下面１０ｄに沿って長く形成されており、図９に示す左右の扉枠１２，１２間に渡って設けられている。図１１（ａ）のシール部２２の下方には突条部２２ｂが突設されている。シール部２２は、突条部２２ｂを回転フレーム２１に設けた溝状の凹部２１ｂに嵌合させることで、回転フレーム２１の上部表面に着脱自在に装着されている。前記シール部２２の右端には、固定枠２０の内側面の当接部２９に当接する突出部２２ａが突設されている。これにより、回転フレーム２１の水平姿勢が保持される。
【０００８】
図１１（ｂ）の回転フレーム２１の上面には、図１０に示すように、前記蝶番１１の設けられた扉枠１２側の端部に入力板（入力部）６が固定されている。該入力板６は、後述するように、回転フレーム２１を回転させる外力を受ける部分であり、図１１（ｂ）に示すように、前記水平軸線Ｈから離れる方向、すなわち、前記外部Ｏに向かう方向（図１１における左側）に突出して設けられている。入力板６の下面には、前記固定枠２０内に設けられたスプリング（弾性部材）２６が当接しており、入力板６を上方に付勢する復元手段を構成している。
【０００９】
図１０に示すように、前記塞ぎ部材２５は、固定枠２０に固定されており、回転フレーム２１に並設されて前記固定枠２０の上方の開口の概ね半分を塞ぐものであり、固定枠２０内の端部に沿って長く形成されている。
【００１０】
押下装置：
図１２は扉１０の縦断面図である。
図１２に示すように、前記扉１０には押下装置１３が設けられている。前記押下装置１３は前記扉枠１２側に向って突設された押圧ボタン１４（図９）およびロッド１５を備えており、扉１０が閉じられると、前記押圧ボタン１４が扉枠１２に接触して押圧され、ロッド１５が扉１０の下面１０ｄよりも下方に突出する。なお、ロッド１５は退避スプリング１６によって上方に付勢されている。
【００１１】
止水動作：
前記扉１０を閉じると、扉枠１２によって押圧ボタン１４が押圧されてロッド１５が下降する。図１１（ｂ）の二点鎖線で示すように、前記ロッド１５の下降によって、前記入力板６が上方から下方に押され、回転フレーム２１が前記水平軸線Ｈを中心に反時計回りに回転して傾斜姿勢となり、図１１（ａ）の二点鎖線で示すように、シール部２２のエッジ（角）が扉１０の下面１０ｄに密着する。
【００１２】
ここで、前記シール部２２は、閉状態の扉１０の下面１０ｄに沿って長く設けられているから、該シール部２２が扉１０の下面１０ｄに当接することで、扉１０と床面３との隙間を止水することができる。
また、扉１０の下方をシール部２２によって隙間なく閉じることができるから、遮音性も向上する。
なお、図示していないが、外部Ｏから固定枠２０内に入った水は、固定枠２０内部の溝から排水されるようになっている。
【００１３】
一方、図１２に示す前記扉１０を開くと押圧ボタン１４が扉枠１２から離れて、ロッド１５が前記退避スプリング１６のバネ力によって上昇する。前記ロッド１５が上昇すると、図１１（ｂ）に示す入力板６の下面を前記スプリング２６が押し上げ、回転フレーム２１が前記水平軸線Ｈを中心に時計回りに回動する。該回転によって、図１１（ａ）のシール部２２の表面が前記固定枠２０の溝を覆うと共に、前記突出部２２ａが固定枠２０の内側面の当接部２９に接触して、シール部２２が床面３と概ね同一平面となる水平姿勢となる。
【００１４】
このように、特許文献１の発明では、扉１０が開状態である場合にシール部２２が床面３と概ね同一平面になり段差が生じないので、バリアフリーが実現される。
【００１５】
【発明が解決しようとする課題】
しかし、かかる構成の場合には、前記回転フレーム２１を回転動作させるために、前記押下装置１３のように複雑な機構が必要となる。そのため、前記特許文献１の止水構造の施工には手間がかかり、また、製造および施工コストも高くなる。特に、リフォームなどの場合には、既存の扉に対して大がかりな加工が必要となるので、更にコストが高くなる。
【００１６】
かかる事情に鑑みて、本発明は、低コストで容易に施工可能な汎用性の高い扉の気密・水密構造を提供することを目的とする。
【００１７】
【課題を解決するための手段】
前記目的を達成するために、本発明は、扉の下面が床面に近接すると共に床面からの突起を実質的になくした扉下方の気密・水密構造であって、閉状態の扉の下面に沿って長く形成された帯状の回転部を扉の下方の床に回転自在に設け、前記回転部は操作力を受けることで、前記回転部の長手方向に沿った水平軸線を中心に回転して前記回転部の第１側縁部が前記扉の下面に近接ないし当接する扉の気密・水密構造において、前記回転部の一端に前記回転部と一体に回転する入力部が設けられ、前記入力部における前記第１側縁部とは反対側の部位に入力突部が上方に向って突設され、前記扉の下面の前記入力部に対応する位置には、傾斜面が設けられ、前記傾斜面は、前記突部側から前記扉の開方向に向かうに従って下方に傾いていることで、前記扉を閉じていくに従い前記傾斜面が前記突部に乗り上げることにより、前記突部が下方に押し下って、前記回転部が前記入力部と共に前記水平軸線のまわりに回転して、前記第１側縁部が前記扉の下面に近接ないし当接することを特徴とする。
【００１８】
本発明の気密・水密構造においては、前記入力部に上方に向って突設された入力突部が設けられ、一方、前記扉の下面における前記突部に対応する位置には、傾斜面が設けられている。前記扉を閉じていくに従い前記傾斜面が前記突部に乗り上げることにより、前記突部が下方に押し下げられることで、前記回転部が前記入力部と共に水平軸線のまわりに回転する。これにより、前記回転部の第１側縁部が前記扉の下面に近接ないし当接して、扉の気密・水密状態を保持できる。つまり、本発明の気密・水密構造では、前記回転部を回転させるのに複雑な機構を必要とせず、前記扉を開閉する際の前記突部と前記傾斜面との接触により気密・水密動作が行われる。
【００１９】
【発明の実施の形態】
以下、本発明の一実施形態を図面にしたがって説明する。
本発明の基本的な構造は、前述の特許文献１の発明と同様の構造であるため、同一部分または相当部分に同一符号を付して、その詳しい説明を省略し、異なる部分について主に説明する。
【００２０】
図１〜図４は第１実施形態を示す。
図１に示すように、扉１０は従来例に示したものと同様に扉枠１２に取り付けられ、回転中心（鉛直線）Ｖのまわりに回転する回転式の扉である。前記扉１０の下部には、概ね直方体状に形成されたピース３０が設けられている。該ピース３０は、前記扉１０の一部を切り欠いた凹部１０ａに嵌め込まれて固定され、前記扉１０の一部を構成している。
【００２１】
閉状態の扉１０の下方に対応する位置には、該扉１０の下面１０ｄに沿って長く形成された気密装置２が設けられている。前記気密装置２の回転フレーム（回転部）２１は、図４（ａ）に示すように、水平軸線Ｈのまわりに回転できるように設けられている。前記回転フレーム２１は前記軸線Ｈのまわりに回転して、第１側縁部４１を前記扉１０の下面１０ｄに近接ないし当接させる。
【００２２】
図１に示す入力板６における前記第１側縁部４１とは反対側の部位、すなわち、前記入力板６の外部Ｏ側の端部６ａ近傍には、入力突部７が上方に向って突設されている。該突部７は、後述の傾斜面３２と接触することで、回転フレーム２１を回転させる操作力（外力）を受ける部分である。なお、前記突部７は概ね球状に形成されており、球面状の表面を有している。
【００２３】
図２は前記ピース３０を下方から見た斜視図である。
ピース３０の下面３０ｄは、前記扉１０の下面１０ｄと概ね面一となるように形成されている。前記ピース３０の下面３０ｄにおける前記突部７に対応する位置には、傾斜面３２が設けられている。該傾斜面３２は、前記突部７に接する傾斜面３２の部位が、前記扉１０が回転して閉じるに従い下方となるように設定されている。つまり、前記傾斜面３２の傾斜が始まる位置は、前記回転中心Ｖからの距離で表すと、図３（ａ）に示す距離Ｌ１から図３（ｂ）に示す距離Ｌ２まで前記下面３０ｄにおける前記扉１０が閉じる際の円弧状の軌跡に沿って連続的に大きくなるように設定されている。そのため、前記突部７に対して前記扉１０が閉じていくに従い、図３（ｂ）に示すように、前記傾斜面３２が前記突部７に乗り上げる。
【００２４】
気密・水密動作：
前記扉１０を閉じると、前記傾斜面３２が前記突部７に接触して乗り上げる。図４（ｂ）に示すように、前記傾斜面３２によって、前記突部７が下方に押し下げられることで、前記入力板６が上方から下方に押される。前記回転フレーム２１は、前記入力板６と一体に、前記水平軸線Ｈを中心に反時計まわりに回転して傾斜姿勢となる。これにより、図４（ａ）に示すように、回転フレーム２１の第１側縁部が扉１０の下面１０に近接ないし当接する。
【００２５】
ここで、図４（ａ），（ｂ）に示すように、回転フレーム２１の回転軸部２１ａは、回転フレーム２１の下方端部（図４における回転フレーム２１の左端）に設けられている。そのため、図１に示す前記扉１０が開いて前記傾斜面３２と前記突部７との当接が解除されると、回転フレーム２１は自重により時計回りに回転する。すなわち、回転軸部２１ａが回転フレーム２１の重心とは異なる位置に偏心して設けられていること自体が、前記回転フレーム２１を床面３と概ね同一平面となる水平姿勢に復帰させる復帰手段を構成している。
【００２６】
第２実施形態：
図５〜図７は第２実施形態を示す。この実施形態においては、図５に示す扉１０は、前記帯状の回転フレーム２１の長手方向Ｘに沿って矢印方向にスライド移動可能な引き戸である。前記扉１０の下部には、概ね直方体状に形成されたピース３０Ｂが設けられている。該ピース３０Ｂは、前記扉１０を開いていく際に、最初に開く側の端部１０ｂに形成された凹部１０ａに嵌め込まれて固定され、前記扉１０の一部を構成している。
なお、前記扉１０は、図示しないレールなどにより、上方から支持されていると共に、扉１０のスライド移動が案内されている。また、前記レールは前記扉１０の下方から扉１０の下側部を支持するように設けてもよい。
【００２７】
図６は、第２実施形態にかかるピース３０Ｂを下方から見た斜視図である。この図から分かるように、前記ピース３０Ｂの下面３０ｄは、前記扉１０の下面１０ｄよりも若干下方に突出している。前記ピース３０Ｂの下面３０ｄには、傾斜面３２が設けられている。該傾斜面３２は、前記端部１０ｂから長手方向Ｘに離れるに従って下方に傾くように設定されている。すなわち、前記突部７に接する傾斜面３２の部位が、前記扉１０がスライドして閉じるに従い下方となるように前記傾斜面３２が設定されている。
【００２８】
前記扉１０を閉じると、図７に示すように、前記傾斜面３２が前記突部７に接触して乗り上げる。そのため、前記傾斜面３２により、前記突部７が下方に押し下げられる。
その他の構成および動作は、第１実施形態と同様であり、同一部分または相当部分に同一符号を付して、その詳しい説明および図示を省略する。
【００２９】
ところで、前記各実施形態で示した扉１０とは開閉方式の異なる扉についても、本発明を適用し得る。扉としては、たとえば図１３（ａ）に示すように、前記回転フレーム２１の長手方向Ｘに沿って複数枚の板材が重合するように折り畳まれる折れ戸１０Ａや、図１３（ｂ）に示すように、水平線のまわりに回転して円弧状に開閉される上開き式の回転扉１０Ｂなどを採用することができる。さらに、図１３（ｃ）に示すように扉枠１２に沿って上下に開閉されるシャッターのような扉１０Ｃについても、本発明の技術思想を反映させることができる。
【００３０】
また、前記各実施形態では、入力部６に概ね球状の入力突部７を設けていたが、前記突部７は必ずしも球状である必要はない。たとえば、第２実施形態のように、前記扉１０がスライド式の引き戸の場合には、図８に示すような台形状もしくは円柱状の入力突部７Ｂを入力部６に設けてもよい。つまり、閉動作の完了直前から完了までの間に当該扉の前記傾斜面３２により、下方に押し下げられ得るものであれば、前記突部７の形状は問わない。
【００３１】
また、前記扉１０が開かれた際に、前記回転フレーム２１は自重（復帰手段の一例）により水平姿勢に復帰するように構成されていたが、図１１（ｂ）に示す前記特許文献１の発明のように、前記回転フレーム２１を水平姿勢に復帰させるためのスプリングなどの別の復帰手段を設けてもよい。
また、図４に示すようなエラストマーからなるシール部２２は必須の構成ではなく、回転フレーム２１の上面を、たとえば、金属板や硬質の樹脂板で構成してもよい。
さらに、一対の扉からなる観音開きの扉についても本発明を適用し得る。
【００３２】
以上のとおり、図面を参照しながら好適な実施形態を説明したが、当業者であれば、本明細書を見て、自明な範囲で種々の変更および修正を容易に想定するであろう。
たとえば、本発明の使用用途としては、病院の扉や家庭での玄関扉、浴室の扉などに限定されず、水や砂、埃が内部に侵入するおそれのある場所に用いることができる。
また、傾斜面は扉と別体のピースの下面に形成されていたが、前記傾斜面を扉自体の下面に形成してもよい。
また、本発明を自動扉に適用してもよい。
したがって、そのような変更および修正は、請求の範囲から定まる本発明の範囲内のものと解釈される。
【００３３】
【発明の効果】
以上説明したように、本発明によれば、扉の下面に傾斜面を設けると共に、該傾斜面によって下方に押し下げられる入力突部を前記入力部に設けたことで、回転フレームを回転させるための複雑な機構を扉や扉枠に設けなくても、扉の気密・水密構造を実現できる。
【００３４】
また、前記突部が球面状の表面を持つように形成されていれば、回転式の扉または引き戸のいずれの扉に対しても前記突部を対応させることができる。したがって、種々の開閉方式の扉に対して１つの形状（球状）の突部だけで対応できるので、製造コストを押さえることができ、また、取り付けも容易になる。
【００３５】
また、扉とは別体のピースに前記傾斜面を形成し、当該ピースを扉の下部に固定するようにすれば、リフォームなどの場合であっても、既存の扉に対して前記ピースを容易に取り付けることができる。また、種々の傾斜面が形成されたピースを取り換えるだけで、本気密・水密構造の動作を容易に設定することができる。
【図面の簡単な説明】
【図１】本発明の第１実施形態にかかる扉および扉の気密・水密構造の斜視図である。
【図２】傾斜面が形成されたピースを下方から見た斜視図である。
【図３】（ａ）は図２のＩＩＩａ−ＩＩＩａについての断面図、（ａ）は図２のＩＩＩｂ−ＩＩＩｂについての断面図である。
【図４】気密・水密構造の横断面図である。
【図５】第２実施形態にかかる扉および気密・水密構造を示す斜視図である。
【図６】傾斜面が形成されたピースを下方から見た斜視図である。
【図７】（ａ）は図６のＶＩＩａ−ＶＩＩａについての断面図、（ａ）は図６のＶＩＩｂ−ＶＩＩｂについての断面図である。
【図８】入力突部の変形例を示す斜視図である。
【図９】従来の止水構造を示す斜視図である。
【図１０】同止水構造の一部を省略して図示した斜視図である。
【図１１】同止水構造の横断面図である。
【図１２】同押下装置を示す縦断面図である。
【図１３】本発明にかかる扉の変形例をそれぞれ示す概略斜視図および平面図である。
【符号の説明】
６：入力部
７、７Ｂ：入力突部
１０：扉
１０ｄ：下面
２０：固定枠
２１：回転フレーム（回転部）
２５：塞ぎ部材
３０：ピース
３２：傾斜面
４１：第１側縁部
３：床面
Ｈ：水平軸線
Ｖ：鉛直線
【図１】
2005023628.tif 000003
【図２】
2005023628.tif 000004
【図３】
2005023628.tif 000005
【図４】
2005023628.tif 000006
【図５】
2005023628.tif 000007
【図６】
2005023628.tif 000008
【図７】
2005023628.tif 000009
【図８】
2005023628.tif 000010
【図９】
2005023628.tif 000011
【図１０】
2005023628.tif 000012
【図１１】
2005023628.tif 000013
【図１２】
2005023628.tif 000014
【図１３】
2005023628.tif 000015